(57)【要約】【課題】小型化、設計の自由度を図る上で有利な光ピックアップおよび光ディスク装置を提供する。【解決手段】ベース４０は、厚さ方向の一方に位置する上面４０Ａと、厚さ方向の他方に位置する下面４０Ｂとを有している。支持ブロック４６は、ベース４０の上面４０Ａに支持されている。固定用プレート４８は、支持ブロック４６と一体的に結合されベース４０に取着されるものである。固定用プレート４８は、本体板部５６と、固定板部５８とを有している。本体板部５６は、支持ブロック４６の上面４６Ａに取着されている。固定板部５８は、本体板部５６の幅方向の両側に位置する縁部でそれら縁部の長さ方向の中間の箇所からべース４０の上面４０Ａに向かって突設され、固定板部５８の先部がベース４０の上面４０Ａに直接取着され、あるいは、ヨーク４１を介してベース４０に取着される。【選択図】図３
2009295239.tif 000002
【特許請求の範囲】
【請求項１】
べースと、
対物レンズを保持するレンズホルダと、
前記ベースの上面に支持された支持ブロックと、
前記支持ブロックと一体的に結合され前記ベースに取着される固定用プレートと、
前記レンズホルダと前記支持ブロックとを連結し前記レンズホルダを前記ベースの上面の上方で支持するサスペンションワイヤと、
前記レンズホルダに設けられたコイルと、
前記ベースの上面の上方に配設され前記対物レンズの光軸と直交する方向において前記コイルとの間に間隔をおいて対向するよう設けられた磁界発生部とを備え、
前記固定用プレートは、
前記支持ブロックが前記ベースの上面に臨む面と反対側の面に取着される本体板部と、
前記本体板部から前記ベースの上面に向かって突設され前記ベースの上面に取着される固定板部とを有する、
光ピックアップ。
【請求項２】
前記支持ブロックは、前記対物レンズの光軸方向であるフォーカス方向と直交するタンジェンシャル方向に前記レンズホルダと間隔をおいて配設されている、
請求項１記載の光ピックアップ。
【請求項３】
前記サスペンションワイヤは、前記レンズホルダを、前記支持ブロックに対して前記レンズホルダを前記フォーカス方向および前記タンジェンシャル方向に直交するトラッキング方向と前記フォーカス方向に移動可能に支持している、
請求項１記載の光ピックアップ。
【請求項４】
前記本体板部は、前記ベースの上面に平行して延在している、
請求項１記載の光ピックアップ。
【請求項５】
前記固定板部の前記ベースへの取着は、接着剤を用いた接着により、あるいは、半田付けによってなされる、
請求項１記載の光ピックアップ。
【請求項６】
前記固定用プレートは磁石によって吸着される磁性材料で形成されている、
請求項１記載の光ピックアップ。
【請求項７】
光ディスクを保持して回転駆動する駆動手段と、
前記駆動手段によって回転駆動する光ディスクに対し記録および／または再生用の光ビームを照射し、前記光ディスクで反射された反射光ビームを検出する光ピックアップとを有し、
前記光ピックアップは、
べースと、
対物レンズを保持するレンズホルダと、
前記ベースの上面に支持された支持ブロックと、
前記支持ブロックと一体的に結合され前記ベースに取着される固定用プレートと、
前記レンズホルダと前記支持ブロックとを連結し前記レンズホルダを前記ベースの上面の上方で支持するサスペンションワイヤと、
前記レンズホルダに設けられたコイルと、
前記ベースの上面の上方に配設され前記対物レンズの光軸と直交する方向において前記コイルとの間に間隔をおいて対向するよう設けられた磁界発生部とを備え、
前記固定用プレートは、
前記支持ブロックが前記ベースの上面に臨む面と反対側の面に取着される本体板部と、
前記本体板部から前記ベースの上面に向かって突設され前記ベースの上面に取着される固定板部とを有する、
光ディスク装置。
【発明の詳細な説明】
【技術分野】
【０００１】
本発明は、光ディスクに信号の記録や再生を行う光ピックアップおよびそのような光ピックアップを有する光ディスク装置に関する。
【背景技術】
【０００２】
ＤＶＤ（Ｄｉｇｉｔａｌ  Ｖｅｒｓａｔｉｌｅ  Ｄｉｓｋ）などの光ディスクに対して信号の記録あるいは再生あるいは記録および再生を行う光ピックアップがある。
このような光ピックアップは、べースと、対物レンズを保持するレンズホルダと、ベースの上面に支持された支持ブロックと、レンズホルダと支持ブロックとを連結し支持ブロックに対してレンズホルダを移動可能に支持するサスペンションワイヤと、レンズホルダに設けられたコイルと、ベースの上面の上方に配設されコイルとの間に間隔をおいて対向するよう設けられた磁界発生部とを備えている（特許文献１参照）。
ところで、このような光ピックアップの組み立てに際しては、ベースに対する支持ブロックの位置調整を行う必要がある。
そこで、従来は、支持ブロックがベースに臨む下面に固定用プレートを一体的に結合して設け、調整治具により固定用プレートを保持した状態で、ベースに対する支持ブロックの位置調整を行い、位置調整が完了したならば、固定用プレートをベースの上面に接着剤による接着、あるいは、半田付けにより取着している。
【特許文献１】特開２００６−３１８６４号公報
【発明の開示】
【発明が解決しようとする課題】
【０００３】
しかしながら、上記従来技術では、固定用プレートがベースの上面に取着されることから、固定用プレートを保持する治具がベースと干渉しないように、治具用の切り欠きや開口をベースに設ける必要がある。
このような切り欠きや開口はデッドスペースであることから、小型化、設計の自由度を図る上で不利があった。
本発明はこのような事情に鑑みなされたもので、その目的は小型化、設計の自由度を図る上で有利な光ピックアップおよび光ディスク装置を提供することにある。
【課題を解決するための手段】
【０００４】
上記目的を達成するために本発明の光ピックアップは、べースと、対物レンズを保持するレンズホルダと、前記ベースの上面に支持された支持ブロックと、前記支持ブロックと一体的に結合され前記ベースに取着される固定用プレートと、前記レンズホルダと前記支持ブロックとを連結し前記レンズホルダを前記ベースの上面の上方で支持するサスペンションワイヤと、前記レンズホルダに設けられたコイルと、前記ベースの上面の上方に配設され前記対物レンズの光軸と直交する方向において前記コイルとの間に間隔をおいて対向するよう設けられた磁界発生部とを備え、前記固定用プレートは、前記支持ブロックが前記ベースの上面に臨む面と反対側の面に取着される本体板部と、前記本体板部から前記ベースの上面に向かって突設され前記ベースの上面に取着される固定板部とを有する。
また本発明の光ディスク装置は、光ディスクを保持して回転駆動する駆動手段と、前記駆動手段によって回転駆動する光ディスクに対し記録および／または再生用の光ビームを照射し、前記光ディスクで反射された反射光ビームを検出する光ピックアップとを有し、前記光ピックアップは、べースと、対物レンズを保持するレンズホルダと、前記ベースの上面に支持された支持ブロックと、前記支持ブロックと一体的に結合され前記ベースに取着される固定用プレートと、前記レンズホルダと前記支持ブロックとを連結し前記レンズホルダを前記ベースの上面の上方で支持するサスペンションワイヤと、前記レンズホルダに設けられたコイルと、前記ベースの上面の上方に配設され前記対物レンズの光軸と直交する方向において前記コイルとの間に間隔をおいて対向するよう設けられた磁界発生部とを備え、前記固定用プレートは、前記支持ブロックが前記ベースの上面に臨む面と反対側の面に取着される本体板部と、前記本体板部から前記ベースの上面に向かって突設され前記ベースの上面に取着される固定板部とを有する。
【発明の効果】
【０００５】
本発明によれば、支持ブロックに取着される本体板部が、ベースから離間した箇所に配置され、固定用プレートを保持する調整用の治具がベースに干渉することがないので、従来必要であった、治具用の切り欠きや開口をベースに設ける必要が無い。
したがって、従来、切り欠きや開口によってデッドスペースとなっていた部分に部材や部品を配置することができるので、光ピックアップおよび光ディスク装置の小型化を図り、設計の自由度を確保する上で有利となる。
【発明を実施するための最良の形態】
【０００６】
（光ディスク装置１００）
次に本発明の実施の形態について説明する。
まず、本発明の光ピックアップが組み込まれる光ディスク装置について説明する。
図１は、本実施の形態の光ピックアップ１０が組み込まれた光ディスク装置１００の構成を示すブロック図である。
図１に示すように、光ディスク装置１００は、光ディスク２を回転駆動する駆動手段としてのスピンドルモータ１２と、光ピックアップ１０と、光ピックアップ１０をその半径方向に動かす駆動手段としての送りモータ１６などを含んで構成されている。
ここで、スピンドルモータ１２は、システムコントローラ１８およびサーボ制御部２０により所定の回転数で駆動制御される構成になっている。
【０００７】
光ピックアップ１０は、システムコントローラ１８およびサーボ制御部２０からの指令に従って回転する光ディスク２の信号記録面に対して光ビームを照射する。このような光照射により光ディスク２に対する光信号の記録および／または再生が行われる。
また、光ピックアップ１０は、光ディスク２の信号記録面からの反射光ビームに基づいて、各種の光ビームを検出し、各光ビームに対応する信号を信号処理部２４に供給できるように構成されている。
信号変復調部およびＥＣＣブロック２２は、信号処理部２４から出力される信号の変調、復調およびＥＣＣ（エラー訂正符号）の付加を行う。
【０００８】
信号処理部２４は、各光ビームに対応する検出信号に基づいてサーボ制御用信号、すなわち、フォーカスエラー信号、トラッキングエラー信号、ＲＦ信号、ランニングＯＰＣ処理に必要なモニタ信号（Ｒ−ＯＰＣ信号）、記録時における光ディスクの回転制御を行うために必要なＡＴＩＰ信号などを生成できるように構成されている。
なお、光ピックアップ１０によるフォーカスエラー信号、トラッキングエラー信号、ＲＦ信号の生成方法として従来公知のさまざまな方法が採用可能である。
また、再生対象とされる記録媒体の種類に応じて、サーボ制御部２０、信号変調部およびＥＣＣブロック２２等により、これらの信号に基づく復調および誤り訂正処理等の所定の処理が行われる。
ここで、信号変調部およびＥＣＣブロック２２により復調された記録信号が、例えばコンピュータのデータストレージ用であれば、インタフェース２６を介して外部コンピュータ２８等に送出される。これにより、外部コンピュータ２８等は光ディスク２に記録された信号を再生信号として受け取ることができるように構成されている。
【０００９】
また、信号変調部およびＥＣＣブロック２２により復調された記録信号がオーディオ・ビジュアル用であれば、Ｄ／Ａ、Ａ／Ｄ変換器３０のＤ／Ａ変換部でデジタル／アナログ変換され、オーディオ・ビジュアル処理部３２に供給される。そして、このオーディオ・ビジュアル処理部３２でオーディオ・ビデオ信号処理が行われ、オーディオ・ビジュアル信号入出力部３４を介して外部の撮像・映写機器に伝送される。
光ピックアップ１０には送りモータ１６が接続され、送りモータ１６の回転によって光ピックアップ１０が光ディスク２上の所定の記録トラックまで移動されるように構成されている。
サーボ制御部２０は、スピンドルモータ１２、送りモータ１６の制御に加えて、フォーカスエラー信号およびトラッキングエラー信号に基づいて光ピックアップ１０の対物レンズ（不図示）のフォーカシング方向、トラッキング方向の制御を行い、さらに、ラジアルスキューの制御を行なう。
また、レーザ制御部３６は、光ピックアップ１０のレーザ光源を制御するものである。
【００１０】
（光ピックアップ１０）
次に、本実施の形態の光ピックアップ１０について説明する。
図２は光ピックアップ１０の構成を示す平面図、図３は光ピックアップ１０の組み立て説明図である。
図２、図３に示すように、光ピックアップ１０は、ベース４０と、ヨーク４１と、対物レンズ４２と、レンズホルダ４４と、支持ブロック４６と、固定用プレート４８と、サスペンションワイヤ５０と、コイル５２と、磁界発生部５４と、ベース４０の下方に配置された不図示の光源および光検出素子などを含んで構成されている。
なお、本発明において、フォーカス方向Ｚとは、光ディスク２の厚さ方向、言い換えると対物レンズ４２の光軸方向をいう。また、トラッキング方向Ｘとは、光ディスク２の半径方向をいう。また、タンジェンシャル方向（接線方向）Ｙとは、光ディスク２の円周の接線方向、すなわちフォーカス方向Ｚおよびトラッキング方向Ｘの双方と直交する方向をいう。
【００１１】
ベース４０は、トラッキング方向Ｘに沿った幅と、タンジェンシャル方向Ｙに沿った長さと、フォーカス方向Ｚに沿った厚さとを有する薄板状を呈している。
ベース４０は、厚さ方向の一方に位置する上面４０Ａと、厚さ方向の他方に位置する下面４０Ｂとを有している。
【００１２】
対物レンズ４２はレンズホルダ４４に保持されている。
対物レンズ４２は、光ディスク２に対して前記光源から出射された記録および／または再生用の光ビームを照射し、前記光ディスクで反射された反射光ビームを前記光検出素子に導くものである。
【００１３】
支持ブロック４６は、ベース４０の上面４０Ａに支持され、タンジェンシャル方向Ｙにレンズホルダ４４と間隔をおいて配設されている。
本実施の形態では、支持ブロック４６は、ベース４０のタンジェンシャル方向Ｙの端部に配置されている。
支持ブロック４６は、ベース４０の上面４０Ａに臨む下面４６Ｂと、下面４６Ｂの反対側に位置する上面４６Ａとを有している。
【００１４】
固定用プレート４８は、支持ブロック４６と一体的に結合されベース４０に取着されるものである。
本実施の形態では、固定用プレート４８は金属製であり、磁石によって吸着される磁性材料で形成されている。
固定用プレート４８は、本体板部５６と、固定板部５８とを有し、板金製である。
本体板部５６は、ベース４０の幅と長さと厚さとのそれぞれに沿った幅と長さと厚さとを有する薄板状を呈している。
本体板部５６の長さ方向の一方寄りの箇所には、複数のねじ挿通孔５６０２が貫通形成されている。
本体板部５６の長さ方向の他方寄りの箇所には、後述する調整治具のピンが挿通される複数の係合孔５６０４が貫通形成されている。
本体板部５６は、支持ブロック４６の上面４６Ａに取着されている。
本実施の形態では、図示しないねじが各ねじ挿通孔５６０２を挿通して支持ブロック４６の上面５６Ａに締結されることにより本体板部５６が支持ブロック４６の上面４６Ａに取着される。
固定板部５８は、本体板部５６の幅方向の両側に位置する縁部でそれら縁部の長さ方向の中間の箇所からべース４０の上面４０Ａに向かって突設され、固定板部５８の先部がベース４０の上面４０Ａに取着される。
固定板部５８のベース４０への取着は、接着剤を用いた接着により、あるいは、半田付けによってなされる。
固定用プレート４８がベース４０に取着された状態で、本体板部５６は、ベース４０の上面４０Ａに平行して延在している。
なお、本実施の形態のように、固定板部５８をベース４０に直接取着するのではなく、固定板部５８をヨーク４１に取着することで、固定板部５８をヨーク４１を介してベース４０に取着してもよいことは無論である。
特に、軽量化やコストダウンのために、ベース４０が合成樹脂材料で形成されている場合は、固定板部５８をベース４０に半田付けすることができず、また、固定板部５８とベース４０の線膨張係数の違いによる経時変化を考慮して、固定板部５８をベース４０に接着剤で接着することを避ける必要がある。
このような場合は、固定板部５８をヨーク４１を介してベース４０に取着することが好ましい。固定板部５８のヨーク４１への取着は、接着剤を用いた接着により、あるいは、半田付けによってなされる。
また、固定板部５８をヨーク４１に取着するために、ヨーク４１には固定板部５８を取着するための形状を設けることが好ましい。
【００１５】
レンズホルダ４４は、支持ブロック４６から突出するサスペンションワイヤ５０の先部で支持されている。
磁界発生部５４は、レンズホルダ４４のタンジェンシャル方向Ｙの両側に配置されている。
【００１６】
支持ブロック４６の幅方向の両端でフォーカス方向Ｚに間隔をおいた２箇所にそれぞれサスペンションワイヤ５０の基部が取着されている。
レンズホルダ４４のトラッキング方向Ｘにおける両端でフォーカス方向Ｚに間隔をおいた２箇所にそれぞれサスペンションワイヤ５０の先部が取着され、レンズホルダ４４は支持ブロック４６上でサスペンションワイヤ５０を介してトラッキング方向Ｘとフォーカス方向Ｚに移動可能に支持されている。
コイル５２は、タンジェンシャル方向Ｙにおけるレンズホルダ４４の両端でトラッキング方向Ｘに間隔をおいた２箇所にそれぞれ取着されている。
【００１７】
ヨーク４１はベース４０上に取着され、ヨーク４１はレンズホルダ４４の下方でタンジェンシャル方向Ｙに延在する基板部４１０２と、基板部４１０２の両端から起立する起立部４１０４とを備えている。
各起立部４１０４にそれぞれマグネット６０が取着され、これによりタンジェンシャル方向Ｙにおけるレンズホルダ４４の両端にマグネット６０が臨むことになる。
本実施の形態では、磁界発生部５４は起立部４１０４とマグネット６０とにより構成されている。
言い換えると、磁界発生部５４は、ベース４０の上面４０Ａの上方に配設され光軸と直交する方向においてコイル５２との間に間隔をおいて対向するよう設けられている。
【００１８】
なお、ベース４０の下方に光源および光検出素子などが配置されることから、前記光源からの光を対物レンズ４２に導くための開口４０１０、４１１０がベース４０およびヨーク４１の基板部４１０２にそれぞれ形成されている。
【００１９】
そして、コイル５２に駆動信号を供給することにより、コイル５２で発生する磁界と磁界発生部５４で発生する磁界との磁気相互作用によりレンズホルダ４４がトラッキング方向Ｘまたはフォーカス方向Ｚに移動される。これにより、対物レンズ４２によって形成された再生用または記録用の光ビームによる光スポットが光ディスク２のトラック上を正確に追従することになる。
したがって、本実施の形態では、コイル５２、磁界発生部５４、サスペンションワイヤ５０などによりいわゆる２軸アクチュエータが構成されている。
【００２０】
（組み立て）
次に組み立てについて図２、図３を参照して説明するが、図３においては説明の都合上、ヨーク４１およびマグネット６０を省略している。
まず、図２に示すように、マグネット６０が取着されたヨーク４１をベース４０上にねじＮで取り付け、ベース４０上にヨーク４１を固定し、このベース４０を図示しない第１の治具に固定する。
また、固定用プレート４８のねじ挿通孔５６０２を挿通したねじを支持ブロック４６に螺合することで、固定用プレート４８を支持ブロック４６に取着する。
【００２１】
次いで、固定用プレート４８を第２の治具８０で保持する。
本実施の形態では、第２の治具８０は、上方クランプ８２と、下方クランプ８４とで構成されている。
上方クランプ８２は、固定用プレート４８の本体板部５６の面に当接可能な平坦な面で構成された当て付け面８６を有する電磁石８６と、当て付け面８６から突設され固定用プレート４８の係合孔５６０４に係合可能な複数のピン８８とを有している。
下方クランプ８４は、当て付け面８６に対して接離する方向に移動可能に設けられた当て付け片９０を有しており、本実施の形態では、当て付け片９０は板ばねで構成されている。
【００２２】
すなわち、第２の治具８０による固定用プレート４８の保持は次のようになされる。
上方クランプ８２の各ピン８８を固定用プレート４８の上方から係合孔５６０４に挿通すると共に、電磁石８６を動作させることにより、固定用プレート４８を当て付け面８６に吸着させる。
次に、下方クランプ８４の当て付け片９０を固定用プレート４８の下面に弾接させることで、当て付け片９０と当て付け面８６との間に本体板部５６を挟持する。
これにより、第２の治具８０による固定用プレート４８の保持がなされる。
なお、下方クランプ８４は省略してもよいが、本実施の形態のように下方クランプ８４を設けると、第２の治具８０による固定用プレート４８の保持を安定して行う上で有利となる。
この状態で、ベース４０上でタンジェンシャル方向Ｙにおいて、レンズホルダ４４のタンジェンシャル方向Ｙにおける両端のコイル５２の先部にそれぞれマグネット６０の先部が臨んでいる。
【００２３】
次に、ベース４０の下方に位置する光源から出射され対物レンズ５２によって収束される光ビームをビデオカメラなどの撮像装置などで撮像し、撮像された画像をディスプレイに表示させ、ディスプレイの画面上において光ビームの位置が所定の位置に位置するように、第２の治具８０を動かして固定用プレート４８の位置を調整する。
例えば、第２の治具８０をトラッキング方向Ｘ、タンジェンシャル方向Ｙ、フォーカス方向Ｚ、および、トラッキング方向Ｘに延在する軸線を中心軸とする回転方向、タンジェンシャル方向Ｙに延在する軸線を中心軸とする回転方向、フォーカス方向Ｚに延在する軸線を中心軸とする回転方向の６軸方向に調整する。
このようにして、ディスプレイの画面上において対物レンズ５２によって収束される光ビームの位置が所定の位置に位置したならば、言い換えると、マグネット６０とコイル５２の相対的位置が調整され、ベース４０に対する支持ブロック４６の位置調整が完了したならば、固定用プレート４８の取り付け片５８の先端とベース４０の上面４０Ａとを接着剤による接着、あるいは、半田付けによって固定する。
最後に上記の第１の治具、第２の治具を取り外し、光ピックアップ１０の組み立てが完了する。
なお、ベース４０に対する支持ブロック４６の位置調整の方式は上述した方法に限定されるものではなく、従来公知のさまざまな位置調整方式が採用可能である。
【００２４】
以上説明したように本実施の形態によれば、固定用プレート４８は、支持ブロック４６がベース４０の上面４０Ａに臨む面と反対側の面４６Ａに取着される本体板部５６と、本体板部５６からベース４０の上面４０Ａに向かって突設されベース４０の上面４０Ａに取着される固定板部５８とを有している。
したがって、支持ブロック４６に取着される本体板部５６が、ベース４０の上面４０Ａから離間した箇所に配置され、固定用プレート４８を保持する調整用の治具がベース４０に干渉することがないので、従来必要であった、治具用の切り欠きや開口をベース４０に設ける必要が無い。
そのため、従来、切り欠きや開口によってデッドスペースとなっていた部分に部材や部品を配置することができるので、光ピックアップ１０ひいては光ディスク装置１００の小型化を図る上で有利となる。
また、切り欠きや開口によってデッドスペースとなっていたベース４０の部分に部材や部品を配置することができるので、部材や部品を接着するための接着スペースを確保でき、あるいは、部材や部品の位置調整を行うための調整スペースを確保でき、あるいは、光学部品によって構成される光路の配置スペースのマージンを確保できるため、光ピックアップ１０の設計の自由度を確保しつつ光ピックアップ１０の品質の向上を図る上で有利となる。
また、ベース４０に切り欠きや開口を設けないため、ベース４０の機械的強度、剛性の向上を図る上で有利となる。
【００２５】
次に比較例と比較して説明する。
図４は比較例の光ピックアップの組み立て説明図であり、実施の形態と同様または対応する部分、部材には同一の符号を付してその説明を省略する。
図４に示すように比較例の光ピックアップでは、固定用プレート４８の本体板部５６はベース４０の上面４０Ａに取着される。
ベース４０には、第２の治具９２の下方クランプ９４との干渉を避けるための開口４０２０が設けられている。
第２の治具９２は、下方クランプ９４と、上方クランプ９６とで構成されている。
下方クランプ９４は、軸部９４０２と、軸部９４０２の上端に形成された当て付け面９４０４と、当て付け面９４０４から突設された複数のピン９４０６とを有している。
上方クランプ９６は、当て付け面９４０４に対して接離する方向に移動可能に設けられた当て付け面９６０２を有している。
第２の治具９２による固定用プレート４８の保持は次のようになされる。
下方クランプ９４の軸部９４０２をベース４０の開口４０２０の下方から挿入し、複数のピン９４０６を固定用プレート４８の下方から係合孔５６０４に挿通すると共に、上方クランプ９６の当て付け面９６０２を固定用プレート４８の上面に当て付けることで、当て付け面９６０２と当て付け面９４０４との間に本体板部５６を挟持する。
これにより、第２の治具８０による固定用プレート４８の保持がなされる。
【００２６】
したがって、比較例では、固定用プレート４８の本体板部５６がベース４０の上面４０Ａに取着されることから、ベース４０に第２の治具用の開口４０２０を設けなくてはならないため、ベース４０が開口４０２０の分だけ大型化し、光ピックアップ１０ひいては光ディスク装置１００の小型化を図る上で不利となる。
また、ベース４０に第２の治具用の開口４０２０を設けなくてはならないため、部材や部品を接着するための接着スペース、部材や部品の位置調整を行うための調整スペース、光学部品によって構成される光路の配置スペースのマージンを確保する上で不利があり、光ピックアップ１０の設計の自由度を確保することが困難で、光ピックアップ１０の品質の向上を図る上でも不利となる。
また、ベース４０に第２の治具用の開口４０２０を設けなくてはならないため、ベース４０の機械的強度、剛性の向上を図る上で不利となる。
このような比較例に対して、本実施の形態は、治具用の切り欠きや開口をベース４０に設ける必要が無く、従来の切り欠きや開口によってデッドスペースとなっていた部分に部材や部品を配置することができるので、光ピックアップ１０の小型化、設計の自由度、品質の向上、ベース４０の機械的強度、剛性の向上を図る上で極めて有利となる。
また、本実施の形態では、対物レンズ４２が１つの場合について説明したが、ＤＶＤおよびＣＤ用の対物レンズと、ブルーレイ用の対物レンズとの２つの対物レンズ、あるいは、３つ以上の対物レンズを有する光ピックアップにも本発明は無論適用される。
【図面の簡単な説明】
【００２７】
【図１】本実施の形態の光ピックアップ１０が組み込まれた光ディスク装置１００の構成を示すブロック図である。
【図２】光ピックアップ１０の構成を示す平面図である。
【図３】光ピックアップ１０の組み立て説明図である。
【図４】比較例の光ピックアップの組み立て説明図である。
【符号の説明】
【００２８】
１０……光ピックアップ、４０……べース、４２……対物レンズ、４４……レンズホルダ、４６……支持ブロック、４８……固定用プレート、５０……サスペンションワイヤ、５２……コイル、５４……磁界発生部、５６……本体板部、５８……固定板部、１００……光ディスク装置。
【図１】
2009295239.tif 000003
【図２】
2009295239.tif 000004
【図３】
2009295239.tif 000005
【図４】
2009295239.tif 000006